(57)【要約】      （修正有）【課題】より装飾的価値の高いかつ自由度が高く、複数連のチェーン状の本体を有するネックレスであって色彩や形状をより使用者の趣向に応じることができるネックレスを提供する。【解決手段】連結具とチェーン状の本体とからなるネックレスに、少なくともチェーン状の本体を３つ用い、これらのチェーン状の本体１ａ，１ｂ，１ｃの一端を一の連結具２で係止し、これらのチェーン状の本体の他端を他の連結具２で係止し、それぞれのチェーン状の本体を異なる素材により構成する。【選択図】図１
0003192288.tif 000002
【実用新案登録請求の範囲】
【請求項１】
連結具とチェーン状の本体とからなるネックレスにおいて、少なくともチェーン状の本体を３つを用い、これらのチェーン状の本体の一端を一の連結具で係止すると共に、これらのチェーン状の本体の他端を他の連結具で係止し、それぞれのチェーン状の本体は異なる素材により構成されたことを特徴とするネックレス。
【請求項２】
チェーン状の本体の素材が、金・銀・プラチナゴールド・ピンクゴールド・イエローゴールド・ホワイトゴールド・グリーンゴールド・レッドゴールド・プラチナのいずれかで構成されたことを特徴とする請求項１記載のネックレス。
【請求項３】
連結具とチェーン状の本体とからなるネックレスにおいて、少なくともチェーン状の本体を３つを用い、これらのチェーン状の本体の一端を一の連結具で係止すると共に、これらのチェーン状の本体の他端を他の連結具で係止し、それぞれのチェーン状の本体が異なる形状よりなることを特徴とする請求項１又は２のいずれかに記載のネックレス。
【請求項４】
連結具が引き輪であることを特徴とする請求項１乃至３のいずれかに記載のネックレス。
【考案の詳細な説明】
【技術分野】
【０００１】
本考案は、ネックレスに関する考案であって、特に例えば引き輪等を介して３連のチェーン状本体を有するネックレスに関する。
【背景技術】
【０００２】
ネックレスは装身具として多用されており、さまざまに形態を有するネックレスが存在する。
これはチェーン状の本体を引き輪等を介して環状に連結し、首等に掛けることによりその装飾的効果を発揮するものである。
【０００３】
この場合、このチェーン状の本体は各種材質のものが使用されていると共にいろいろな形状のチェーンが使用されている。
このチェーン状本体は一本のチェーンによることが主として用いられていた。
【０００４】
これに対して装飾的効果を高めるために２連のチェーン状本体を用いたものや３連のチェーン本体を用いたものが存在していた。
例えば特開２００１−８７１８号（特許文献１）に示す装身具や特開２００１‐２３１６１４号（特許文献２）に示す装身具が存在していた。
【０００５】
或いは特開２００９−２７９４３６号（特許文献３）に示す構成である。
【先行技術文献】
【特許文献】
【０００６】
【特許文献１】特開２００１−８７１８号
【特許文献２】特開２００１‐２３１６１４号
【特許文献３】特開２００９−２７９４３６号
【考案の概要】
【考案が解決しようとする課題】
【０００７】
以上の様に、装身具としてネックレスは使用されてきており、このチェーン状本体を２つ或いは３つ有し２連或いは３連のネックレスとすることは存在していた。
しかし、そもそもこの前提として例えばそれぞれの長さを異ならしめることが前提として考えているものである。
【０００８】
更にこれらのネックレスはチェーン状本体の両端部を連結することにより環状を構成すること或いは長さ調整のために両端間にアジャスターを取り付けることを大前提としているものとなる。
従って、従来例はこれらを前提としたネックレスの範疇内にとどまるものであった。
【０００９】
より装飾的価値の高いかつ自由度の高い更なるネックレスの出現が待ち望まれていた。
又、複数連のネックレスをより高度の装飾性を発揮できると共に装着者の嗜好に応じて用いられるネックレスの提供を課題として考案されたものである。
【課題を解決するための手段】
【００１０】
以上のように係る課題を見事に解決し、装着者の嗜好に適切に対応できるネックレスの提供を課題とするものである。
係るため請求項１に係る考案は連結具とチェーン状の本体とからなるネックレスにおいて、少なくともチェーン状の本体を３つ用い、これらのチェーン状の本体の一端を一の連結具で係止すると共に、これらのチェーン状の本体の他端を他の連結具で係止し、それぞれのチェーン状の本体は異なる素材により構成したネックレスであり、係るネックレスによって前記課題を解決できる。
【００１１】
又、請求項２に係る考案のようにチェーン状の本体の素材が、金・銀・プラチナゴールド・ピンクゴールド・イエローゴールド・ホワイトゴールド・グリーンゴールド・レッドゴールド・プラチナのいずれかで構成されたネックレスを用いてもよい。
【００１２】
この場合、請求項３に係る考案のように連結具とチェーン状の本体とからなるネックレスにおいて、少なくともチェーン状の本体を３つ用い、これらのチェーン状の本体の一端を一の連結具で係止すると共に、これらのチェーン状の本体の他端を他の連結具で係止し、それぞれのチェーン状の本体が異なる形状よりなるネックレスでもよい。
又、請求項４に係る考案のように連結具に引き輪を用いたネックレスであってもよい。
【考案の効果】
【００１３】
以上のように構成したことにより請求項１に係る考案によってネックレスのチェーン本体に関して少なくとも３つ以上有し、かつこのチェーン本体は異なる素材で形成されたチェーンを用いるものであり、ネックレスのチェーンによる装飾効果は素材が異なることにより極めて特殊な装飾を醸し出すものである。
【００１４】
特にネックレスはその装飾的効果によって差別化や他のネックレスとの優位性を表出して、その価値を高めるものとなる。
従って極めて斬新で特徴的な物品の組み合わせであり、その本質的価値を高めるという技術的効果を有する。
【００１５】
次に請求項２に係る考案により金・銀・プラチナゴールド・ピンクゴールド・イエローゴールド・ホワイトゴールド・グリーンゴールド・レッドゴールド・プラチナをチェーン本体に用いることができ、材質が異なることにより質感の相違のみならず色彩的な相違を前面に押し出せるものとなる。
従って色彩の相違を有するチェーンを複数装着時の前面に表出できるものとなる。
【００１６】
更に請求項３に係る考案によって少なくとも３つ以上のチェーン状本体の形状を異なるものとすることにより、更に特殊なネックレスの提供を可能とする。
これらの場合チェーン状の本体をそのそれぞれの両端同士を３つ以上連結するための連結具はネックレスに多用されている引き輪を用いることにより着脱自在に装着できるものとなる。
【図面の簡単な説明】
【００１７】
【図１】本考案に係るネックレスの一例を示す図
【図２】本考案に係るネックレスの一例を示す図
【図３】本考案に係るネックレスの他の一例を示す図
【考案を実施するための形態】
【００１８】
図１は、本考案に係るネックレスの実施の状態の一例を示す図である。
両側方向に２つの引き輪２を介して下方方向にチェーン状の本体を２つ連接すると共に上方方向にチェーン状の本体を１つ連設している。
従って二つの引き輪２を介して３つのチェーン本体１ａ、１ｂ、１ｃをそろえ、それぞれの一の端部に引き輪を有し、又他の端部に引き輪を有する構成であって、そのうちの一つのチェーン状本体１ａを首掛け用として上方方向に位置させ、他の２つのチェーン状本体１ｂ、１ｃを下方方向に位置させたものである。
【００１９】
従って、見た目において非常に特徴のある特殊な構成を為したネックレスである。
更に本考案に係るネックレスにおけるチェーン状の本体１ａ、１ｂ、１ｃはそれぞれ異なる材質によって構成されているものである。
例えば、金・銀・プラチナゴールド・ピンクゴールド・イエローゴールド・ホワイトゴールド・グリーンゴールド・レッドゴールド・プラチナ等の材質や色彩の異なる素材を用いたそれぞれ任意のチェーン状の本体１ａ、１ｂ、１ｃを用いるものである。
【００２０】
従って、この３つのチェーン状の本体１ａ、１ｂ、１ｃをそれぞれ異なるものを用いると色彩的にも相違して一見して極めて装飾性の高いネックレスの提供ができるものとなる。
もとより３種のうち２つを同一にして一つのみ異なるものとして用いてもよい。
【００２１】
例えばチェーン状の本体１ａ、１ｂ、１ｃが４０センチの長さを有する場合には引き輪を介して両側方向にそれぞれチェーン状の本体を有することから８０センチのネックレスの提供ができる。
例えば首回りを一重のチェーンを位置させ、胸の前に位置するチェーン状の本体を二連として構成することもできるものとなり、特に材質の相違に基づく色違いを表に胸中することにより色彩的な装飾的価値を全面的に表出できるものとなる。
【００２２】
更に引き輪２同士を連設することにより３連のチェーン状本体を有する４０センチのネックレスの提供を可能とする。
尚、本図におけるチェーン状の本体１ａ、１ｂ、１ｃは図面上若干長さが相違するが作図上の問題であり、基本的に同じ長さである。
但し、若干の相違を有するものであってもよく、必ずしも同一に限定取れるものではない。
【００２３】
次に本図に示す引き輪２は一例であり、引き輪に限定されるものではなく少なくとも、複数のチェーン状の本体を連設可能なものであればよく環を用いても或いはその他の連結具を用いてもよい。
又引き輪のように必ずしもこの連結部分に他のチェーンその他のものを接続可能とするものでなくともよい。
【００２４】
又本図上２つの引き輪２は同じものを用いているがもちろん異なるものを用いてもよいものである。
例えば引き輪２を用いることによりチェーン状の本体１ａ、１ｂ、１ｃ自体を着脱自在に連結できると共に更にネックレスの引き輪２部分のある両端を着脱自在に装着できると共に例えばアジャスター等を着脱自在に装着できるものとなり、使用範囲をさらに広げることができる。
【００２５】
更に説明上チェーン状の本体１ａ、１ｂ、１ｃに下がこの長さに限定されるものではなく、もちろん他の長さのものを用いても本考案の構成に該当するものである。
尚、本図はチェーン状の本体１ａ、１ｂ、１ｃを３本用いているが３本構成に限定されるものではなく４本或いは５本用いたものであってもよい。
少なくとも２本以上複数本或いは多数本用いることもできる。
【００２６】
図２は、本考案に係るネックレスの使用上の応用例を示す図である。
引き輪２同士をアジャスター３を用いて連設した状態の一例を示す。
本図に示すアジャスター３は例えば５センチ程度とすることによりアジャスター３部分が首の後ろに位置し、３連のチェーン状の本体１ａ、１ｂ、１ｃが前方に位置するネックレスとなる。
この場合も三種類の色彩のチェーン状の本体１ａ、１ｂ、１ｃが前方に位置して極めて特殊な印象を与えるネックレスを提供できることとなる。
【００２７】
図３は、前記したチェーン状の本体１ａ、１ｂ、１ｃの材質を変えたことに代え、或いはこれと共にチェーンの形状を変化させた一例を示す図である。
特に材質を異にすることにより形状のみならず色彩も異なる種類のチェーン１ａ、１ｄ、１ｅを複数連有するネックレスの提供ができる。  以上のように極めて装飾性の高い特殊なネックレスの提供を本考案は可能とするものである。
【符号の説明】
【００２８】
１  チェーン状の本体
２  引き輪
３  アジャスター
【図１】
0003192288.tif 000003
【図２】
0003192288.tif 000004
【図３】
0003192288.tif 000005